(57)【要約】【課題】光学素子が固定基台に固定された光学素子の固定機構であって、強力な接着強度を確保しつつ、位置決め機能の損失や接着剤の剥離を回避することを目的とする。【解決手段】光学素子１の固定基台６０に対する固定面１０Ｆは、固定基台６０と当接して位置決めを行うための１又は複数の素子基準領域７３と、固定面１０Ｆに露出している接合部位８０と、固定基台６０に接合して固定する固定用接着領域７１とを有し、固定基台６０は、素子基準領域７３と当接する固定基準面６３を有し、固定用接着領域７１は、素子基準領域７３及び固定面１０Ｆに露出している接合用接着剤Ｇ１の部位を除いた一部又は全部の領域となし、固定用接着領域７１を粗面化した状態で、光学素子１と固定基台６０との間を固定用接着剤Ｇ３で固定している。【選択図】  図３
2008225420.tif 000002
【特許請求の範囲】
【請求項１】
複数の透明部材が接合されて一体化された光学素子が固定基台に位置決めされて固定された光学素子の固定機構であって、
前記光学素子の前記固定基台に対する固定面は、前記固定基台と当接して位置決めを行うための１又は複数の素子基準領域と、前記固定面に露出している前記複数の透明部材の接合部位と、前記固定基台に接合して固定する固定用接着領域とを有し、
前記固定基台は、前記素子基準領域と当接する固定基準面を有し、
前記固定用接着領域は、前記素子基準領域及び前記固定面に露出している前記接合部位を除いた一部又は全部の領域となし、この固定用接着領域を粗面化した状態で、前記光学素子と前記固定基台との間を接着剤で固定したことを特徴とする光学素子の固定機構。
【請求項２】
請求項１記載の光学素子の固定機構であって、
前記素子基準領域は、前記固定面に少なくとも３箇所に分散して設けられ、前記固定用接着領域は、前記各素子基準領域に囲まれた内側の領域に形成されていることを特徴とする光学素子の固定機構。
【請求項３】
請求項１又は２記載の光学素子の固定機構であって、
前記固定基台には、前記光学素子の少なくとも相互に隣接する２つの側面を当接して、前記固定面と平行な２方向に位置を規制する位置決め規制壁が設けられていることを特徴とする光学素子の固定機構。
【請求項４】
請求項１乃至３何れか１項に記載の光学素子の固定機構であって、
前記固定用接着領域はレーザ手段により粗面化されることを特徴とする光学素子の固定機構。
【請求項５】
請求項１乃至４何れか１項に記載の光学素子であって、
前記光学素子は２個乃至４個の透明部材を接合して一体化した構成となし、接合される２つの前記透明部材の接合面のうち少なくとも１つの接合面には光学機能膜が形成されていることを特徴とする光学素子の固定機構。
【請求項６】
請求項５記載の光学素子の固定機構において、前記光学素子は２種類のダイクロイック膜がクロスするように形成されたクロスダイクロイックプリズムであることを特徴とするクロスダイクロイックプリズムの固定機構。
【請求項７】
請求項６記載のクロスダイクロイックプリズムの固定機構を有する投射型表示装置。
【請求項８】
複数の透明部材が接合されて一体化された光学素子であって、この光学素子を固定するための固定基台に対する前記光学素子の固定面は、
前記固定基台と当接して位置決めを行うための１又は複数の素子基準領域と、前記固定面に露出している前記複数の透明部材の接合部位と、前記固定基台に接合して固定する固定用接着領域とを有し、
前記固定用接着領域は、前記素子基準領域及び前記固定面に露出している前記接合部位を除いた一部又は全部の領域となし、この固定用接着領域を粗面化していることを特徴とする光学素子。
【請求項９】
請求項８記載の光学素子であって、
前記素子基準領域は、前記固定面に少なくとも３箇所に分散して設けられ、前記固定用接着領域は、前記各素子基準領域に囲まれた内側の領域に形成されていることを特徴とする光学素子。
【請求項１０】
請求項８又は９に記載の光学素子であって、
前記固定用接着領域を、レーザ手段により粗面化していることを特徴とする光学素子。
【請求項１１】
請求項８乃至１０何れか１項に記載の光学素子であって、
前記光学素子は２個乃至４個の透明部材を接合して一体化した構成となし、接合される２つの前記透明部材の接合面のうち少なくとも１つの接合面には光学機能膜が形成されていることを特徴とする光学素子。
【請求項１２】
請求項１１記載の光学素子において、前記光学素子は２種類のダイクロイック膜がクロスするように形成されたクロスダイクロイックプリズムであることを特徴とする光学素子。
【発明の詳細な説明】
【技術分野】
【０００１】
本発明は、固定基台に取り付けられる光学素子、光学素子が固定基台に取り付けられた光学素子の固定機構、ダイクロイックプリズム及びこれを含む投射型表示装置に関するものである。
【背景技術】
【０００２】
液晶プロジェクタや光ピックアップ等の光学装置においては、種々の光学素子が使用される。例えば、液晶プロジェクタにおいては、入射光の偏光方向によって透過と反射とを分ける偏光ビームスプリッタや、入射光の波長域によって透過と反射とを分けるダイクロイック素子等が用いられる。また、例えば光ピックアップにおいては、前記の偏光ビームスプリッタや波長板、反射ミラー等が用いられる。
【０００３】
前記の種々の光学素子はそれ単独で光学装置内に配置されるのではなく、筐体内部に設けられるベース等の固定基台に固定されて配置される。光学素子を固定基台に取り付けて固定するときには、主に接着剤を用いる。
【０００４】
例えば、光学素子としてキューブ形状のクロスダイクロイックプリズムを考えた場合、クロスダイクロイックプリズムには３色の光（青色の波長域の光、緑色の波長域の光、赤色の波長域の光）が３方向から入射し、合成して生成された合成光が１方向から出射する。このため、キューブ形状の６面のうち、前記の３色の光がそれぞれ入射する入射面及び合成光が出射する出射面を固定基台との固定面とすることができず、これらと直交する２つの面のうち何れか１面が固定面となる。
【０００５】
偏光ビームスプリッタ等の他の光学素子においても、同様であり、基本的には１面で固定基台に保持される。そうすると、この１面（固定面）で確実に光学素子を固定基台に固定しておくためには、強力に接着させる必要がある。そこで、光学素子を強力に固定部材（固定基台）に接着固定するための１つの手法が特許文献１に開示されている。特許文献１では、光学素子の接着面及び固定基台の接着面の少なくとも一方を粗くすることにより、接着剤厚みの均一化を図り、接着せん断強度を増している。
【特許文献１】特開２００６−１７８３８８号公報
【発明の開示】
【発明が解決しようとする課題】
【０００６】
ところで、光学的機能を保証するという観点から、光学素子は固定基台に極めて高精度に取り付けられて固定される必要がある。光学素子を取り付けるときには、光軸と平行な方向（光軸と平行なベクトルを持つ平面上の方向）にずれを生じさせないことはもとより、光軸に対して傾斜した方向（ベクトルが光軸に対して傾斜している方向）にずれを生じさせないようにするため、正確に位置決めした状態で固定基台に取り付けなくてはならない。傾斜方向のずれが生じる要因としては、固定基台に対して光学素子が平行に取り付けられていないことがある。従って、光学素子の固定基台への固定面は、光軸に対して傾斜した方向のずれを防止するための位置決め機能を具備していなくてはならない。具体的には、固定基台に固定基準面を設け、これに光学素子を当接させて位置決めを行う。
【０００７】
この場合、特許文献１のように固定面を粗面化することにより接着強度を高めている場合、固定面のうち固定基準面まで粗面化すると、固定基準面に凹凸が生じることによって、平面性が失われるため、位置決め機能を発揮し得ない。その結果、光学的機能が損なわれることになる。
【０００８】
また、クロスダイクロイックプリズムや偏光ビームスプリッタといった光学素子は、ダイクロイック膜や偏光分離膜が形成された複数の透明部材同士を接着剤により接合して構成される。このため、固定基台との固定面には接着剤の層が露出している接合部位が存在することになるが、この接合部位を粗面化すると、微小凹凸が発生する。そうすると、接着剤に熱応力やストレスがかかることにより、微小凹凸が起因となり、接着剤の剥離や接着剤が焼けてしまう等といった問題を招来する。
【０００９】
さらに、光学素子を固定基台に固定するときには、（１）接着強度を十分に確保して、（２）高い精度で位置決めを行う、という２つの条件を同時に満たすことが要求される。しかし、上記（１）の接着強度の確保に重点を置くと、位置決め精度が悪化し、上記（２）の位置決め精度に重点を置くと、接着強度を確保することができない。このため、前記の２つの条件を同時に満たすことは難しく、何れか一方の条件を満たさない場合には、最終的に光学的機能が低下する。
【００１０】
そこで、本発明は、光学素子を固定基台に固定したときに、位置決め機能の損失や接着剤に対しての影響を回避しつつ、十分な接着力を確保することを図り、さらに、これらの目的を達成しつつ、高い位置決め精度を実現することを目的とする。
【課題を解決するための手段】
【００１１】
本発明の請求項１の光学素子の固定機構は、複数の透明部材が接合されて一体化された光学素子が固定基台に位置決めされて固定された光学素子の固定機構であって、前記光学素子の前記固定基台に対する固定面は、前記固定基台と当接して位置決めを行うための１又は複数の素子基準領域と、前記固定面に露出している前記複数の透明部材の接合部位と、前記固定基台に接合して固定する固定用接着領域とを有し、前記固定基台は、前記素子基準領域と当接する固定基準面を有し、前記固定用接着領域は、前記素子基準領域及び前記固定面に露出している前記接合部位を除いた一部又は全部の領域となし、この固定用接着領域を粗面化した状態で、前記光学素子と前記固定基台との間を接着剤で固定したことを特徴とする。
【００１２】
この光学素子の固定機構は、固定面のうち固定用接着領域を粗面化した状態で接合させることにより、固定基台に対しての接着強度を十分に確保することができる。そして、素子基準領域及び固定面に露出している複数の透明部材の接合部位を除いた領域の一部又は全部を固定用接着領域として粗面化しているが、接合部位が除かれているため、接合部位から露出している透明部材同士を接合するための接合材料（例えば、接着剤等）に対してダメージが与えられることがない。このため、接合材料の剥離等といった問題を回避することができる。同時に、素子基準領域も粗面化される領域から除かれているため、素子基準領域が粗面化されることによって位置決め精度が損なわれることも防止することができる。
【００１３】
本発明の請求項２の光学素子の固定機構は、請求項１記載の光学素子の固定機構であって、前記素子基準領域は、前記固定面に少なくとも３箇所に分散して設けられ、前記固定用接着領域は、前記各素子基準領域に囲まれた内側の領域に形成されていることを特徴とする。
【００１４】
この光学素子の固定機構は、固定面には少なくとも素子基準領域が３箇所分散して設けられているため、非常に高い位置決め精度を実現することができる。そして、分散した素子基準領域の内側の領域を固定用接着領域とすることができるため、広範な範囲の領域を粗面化することができ、十分な接着強度を確保することができる。また、固定用接着領域からは固定面に露出している接合部位は除かれているため、非常に高い位置決め精度を実現し、十分な接着強度を確保しつつ、接着剤の剥離等といった問題を回避することができる。また、固定用接着領域は、分散した固定部の内側に集中しているため、比較的容易に粗面化することができる。
【００１５】
本発明の請求項３の光学素子の固定機構は、請求項１又は２記載の光学素子の固定機構であって、前記固定基台には、前記光学素子の少なくとも相互に隣接する２つの側面を当接して、前記固定面と平行な２方向に位置を規制する位置決め規制壁が設けられていることを特徴とする。
【００１６】
前記の固定基準面を設けることにより光軸に傾斜した方向のずれを防止することができるが、光軸に平行な方向のずれを防止するために、位置決め規制壁を設けて、当該方向の位置決めを正確に行う必要があるからである。ただし、位置決め規制壁以外の手法によっても、当該方向の位置ずれを防止する手法があれば、その手法を適用することができる。
【００１７】
本発明の請求項４の光学素子の固定機構は、請求項１乃至３何れか１項に記載の光学素子の固定機構であって、前記固定用接着領域はレーザ手段により粗面化されることを特徴とする。
【００１８】
固定面の固定用接着領域を粗面化する手法としては、ブラスト処理、切削処理、プラズマ加工処理、化学処理等の任意の手法を用いることができるが、レーザ処理を用いることが最も好ましい。光学素子のサイズは小さく、その固定面も極めて微小な面となる。そのような固定面のうち一部の領域である固定用接着領域はさらに小さな領域となり、当該領域にターゲットを絞って粗面化するためには、小さな領域への狙撃性が高いレーザ処理を適用することが望ましいからである。狙撃性が高いレーザ処理の手法を適用すれば、素子基準領域や固定面に露出している接合用接着剤の部位までの境界部に極めて近接した位置にまで、固定用接着領域を広げることができる。そうすると、より接着力を強めることができる。なお、マスク等を用いて固定用接着領域に限定して粗面化するという条件の下で、前記のブラスト処理等の手法も、必要に応じて適用しても良い。
【００１９】
本発明の請求項５の光学素子の固定機構は、請求項１乃至４何れか１項に記載の光学素子であって、前記光学素子は２個乃至４個の透明部材を接合して一体化した構成となし、接合される２つの前記透明部材の接合面のうち少なくとも１つの接合面には光学機能膜が形成されていることを特徴とする。
【００２０】
光学素子の形状としては、立方体や直方体、三角柱、円柱等の形状を採用することができる。また、立方体や直方体、三角柱、円柱等のうち２つ以上の形状が一体化された異形の形状等を採用することもできる。光学素子として、何れの形状を採用した場合でも、光学素子の殆どは２個乃至４個の透明部材から構成され、接合用接着剤により接合される２つの透明部材の接合面のうち少なくとも１つの接合面に光学機能膜が形成される。例えば、立方体の場合は、２個乃至４個の三角柱状の透明部材を接合して立方体形状とすることができ、２つの透明部材の接合面のうち少なくとも１つの接合面に光学機能膜を形成する。このとき、素子基準領域は、素子基準領域は固定面の４つの角隅部に設けられることが好ましい。
【００２１】
この場合、固定面は正方形となるが、素子基準領域を設ける位置を角隅部にすることにより、最も広く素子基準領域を分散させることができるため、広範な固定用接着領域を確保することができる。従って、広範な範囲を粗面化することができ、接着力を極めて強いものとすることができる。そして、素子基準領域が固定面の角隅部に形成されれば、固定面の一番外側に位置する部位で位置決めを行うことができるため、極めて高い精度の位置決めをすることができる。
【００２２】
その他の形状として、立方体形状、円柱形状、三角柱状等の任意の形状を採用することもできるが、円柱形状の場合には固定面は円形になるため、周縁部近傍の３箇所（中心から夫々１２０度の角度を形成している箇所）に素子基準領域を設けることが好ましい。三角柱状の場合には固定面は三角形になるため、３つの角隅部に素子基準領域を設けることが好ましい。
【００２３】
本発明の請求項６のクロスダイクロイックプリズムの固定機構は、請求項５記載の光学素子の固定機構において、前記光学素子は２種類のダイクロイック膜がクロスするように形成されたクロスダイクロイックプリズムであることを特徴とする。
【００２４】
光学素子としてクロスダイクロイックプリズムを適用した場合、固定面にはクロスするようにして接合部位が露出しているため、固定用接着領域はクロスしている接合部位と角隅部に形成された素子基準領域と、を除いた領域とする。この場合、固定用接着領域は比較的限定された領域となるため、レーザ処理を用いて、固定用接着領域を最大限広げることが好ましい。
【００２５】
その他の光学素子としては、ダイクロイック膜が形成されたダイクロイックプリズム、偏光分離膜が形成された偏光ビームスプリッタ、三角柱状の斜面に反射膜が形成された反射ミラー等の任意の光学素子を適用することができる。また、光学機能膜が形成されていない光学素子、例えば光路長を補正するための光路長補正素子等にも適用することができる。本発明は、素子基準領域と接合部位とを有する光学素子が固定基台に取り付けられて固定されるものに適用することができるため、光学機能膜の有無は要件とならないからである。
【００２６】
本発明の請求項７の投射型表示装置は、請求項６記載のクロスダイクロイックプリズムの固定機構を有することを特徴とする。また、クロスダイクロイックプリズム以外の光学素子にも本発明の光学素子の固定機構を適用することができる。例えば、偏光ビームスプリッタ等の光学素子にも本発明は適用できるが、偏光ビームスプリッタの場合は、投射型表示装置だけでなく光ピックアップにも適用することができる。つまり、任意の光学装置に適用可能である。
【００２７】
本発明の請求項８乃至１２に記載の光学素子は、前述してきたような光学素子の固定機構に適用される光学素子である。
【００２８】
光学素子を構成する透明部材としては、ガラスやプラスティック等の透明性の素材を適用することができる。そして、ダイクロイック膜や偏光分離膜等の光学機能膜を透明部材に形成するときには、真空蒸着法、イオンプレーティング法、スパッタ法、イオンアシスト法等の任意の蒸着方法を適用することができる。
【００２９】
また、光学素子を固定基台に固定するための固定用接着剤と、光学素子を構成する透明部材同士を接合するための接合用接着剤とは、異なる種類の接着剤であってもよいが、同種の接着剤であってもよい。ただし、接合用接着剤は光の透過領域となるため光学接着剤が使用される。接合用接着剤は、同種の素材（透明部材同士）を接合するための接着剤であり、固定用接着剤は異種の素材（透明部材と固定基台）を接合するための接着剤であるため、両者は異種の接着剤が使用することが好ましい。
【００３０】
光学素子としては、基本的には単独の光学素子が適用されるが、複数の光学素子が一体化されたものを１つの光学素子としてもよい。例えば、クロスダイクロイックプリズムは通常は１つの光学素子として用いられるものであるが、クロスダイクロイックプリズムの側面に位相差板や複数の偏光板が貼り付けられているものとしても良い。位相差板や偏光板は、本来なら単独の光学素子を構成するものであるが、光学装置のコンパクト化のために、クロスダイクロイックプリズムに貼り付けて一体化している。ただし、位相差板や偏光板は、あくまでもクロスダイクロイックプリズムに貼り付けられているものであり、固定基台に固定される固定面はクロスダイクロイックプリズムのみが固定面を構成する。
【００３１】
また、光学素子の固定用接着領域と固定基台の接着面とのうち何れか一方を粗面化することによっても接着力を強力にすることができるが、固定基台の接着面ではなく光学素子の固定用接着領域を粗面化している。光学素子には有機汚れ等の不純物が付着していても、固定用接着領域を粗面化することにより、洗浄しなくても接着条件を良好にすることができる。
【発明の効果】
【００３２】
本発明は、光学素子の固定基台に対する固定面のうち１又は複数の素子基準領域と固定面に露出している透明部材の接合部位を除いた一部又は全部の領域を固定用接着領域として、この固定用接着領域を粗面化することにより、素子基準領域の位置決め機能の低下や接合部位に臨んでいる接着剤の剥離を防止しつつ、光学素子と固定基台との接着強度を強力にすることができる。また、固定面に位置決めを行うための素子基準領域を少なくとも３箇所分散して設け、分散した素子基準領域の内側の広範な領域を粗面化するため、位置決め精度を高精度にすることができる。さらに、光学素子の固定面を粗面化することで、固定面に付着した他の接着剤や不純物も除去することができる。
【発明を実施するための最良の形態】
【００３３】
以下、図面を参照して本発明の実施形態について説明する。図１には、本発明を適用することができる光学素子１の一例として、クロスダイクロイックプリズム１０を示している。ただし、光学素子１はクロスダイクロイックプリズム１０のみからなるのではなく、側面１０Ａ、１０Ｂ、１０Ｃに、夫々偏光板５１、５２、５３が貼り付けられ、残りの側面１０Ｄには位相差板５４が貼り付けられている。
【００３４】
クロスダイクロイックプリズム１０は、光変調された青色光（青色の波長域の光）、緑色光（緑色の波長域の光）及び赤色光（赤色の波長域の光）を合成して、図示しない投射レンズに導くための部品である。このため、主にガラス部材から構成される透明部材の内部に２種類のダイクロイック膜２１、２２が相互にクロスするように形成されている。２種類のダイクロイック膜２１、２２は夫々異なる波長域の光を透過・反射し、これらのダイクロイック膜２１、２２により、各色の光は色合成されてカラー画像の映像光が生成される。
【００３５】
図１のクロスダイクロイックプリズム１０は、断面が直角二等辺三角形の三角柱の形状をした４つの透明部材１１〜１４から構成される。各透明部材１１〜１４が接合される接合面には、前記のダイクロイック膜２１、２２が成膜され、各透明部材１１〜１４の接合には接着剤が用いられる。この接着剤は透明部材同士を接合するための接着剤（以下、接合用接着剤Ｇ１とする）であるため、主に光学接着剤が用いられる。２枚のダイクロイック膜２１、２２は、クロスするようにして形成されるため、接合用接着剤Ｇ１により接着される２つの透明部材１１〜１４の面のうち、対面する面の何れか一方に形成されていればよい。
【００３６】
偏光板５１、５２、５３は、光変調された青色光、緑色光及び赤色光の偏光方向を１方向の偏光方向のみにフィルタリングする光学素子であり、各色の入射側に貼り付けられる。また、位相差板５４は、色合成された映像光に位相差を与える光学素子である。これらは、本来なら単独の部品として設けられるものであるが、クロスダイクロイックプリズム１０に貼り付けられることにより、部品の一体化を図り、もって光学装置全体のコンパクト化に資するものである。
【００３７】
各偏光板５１、５２、５３及び位相差板５４は、クロスダイクロイックプリズム１０は、接着剤（主に、光学接着剤）により接着されて貼り付けられている。前記の接合用接着剤Ｇ１と区別するため、偏光板を貼り付けるための接着剤を貼り付け用接着剤Ｇ２とする。貼り付け用接着剤Ｇ２は接合用接着剤Ｇ１と同種の接着剤を用いても良いし、異なる種類の接着剤を用いても良い。ただし、貼り付け用接着剤Ｇ２も接合用接着剤Ｇ１も光が透過する経路上に形成される接着剤であるため、一般的には光学接着剤が用いられる。
【００３８】
図２に、光学素子１を取り付けるための固定基台６０を示す。本実施形態では、光学素子１は、液晶プロジェクタ等の投射型表示装置に用いられるものを前提とする。光学素子１は、投射型表示装置の１つの構成部品であるが、筐体内部に着脱可能に設けられた（又は一体的に形成された）固定基台６０に取り付けられて配置される。筐体内部には、その他の光学素子（例えば、偏光ビームスプリッタやダイクロイックミラー等）が必要に応じて配置されており、図示しない光源から射出した光が透過又は反射を繰り返して、最終的にスクリーン上に映像が映し出される。従って、各光学素子は、極めて高精度な位置関係で配置されている必要があることから、固定基台６０に正確に取り付けられて固定されている。
【００３９】
光学素子１は、固定基台６０に取り付けられた後に、接着剤により接着されて固定される。前記の接合用接着剤Ｇ１や貼り付け用接着剤Ｇ２と区別するために、固定基台６０に光学素子１を固定するための接着剤を固定用接着剤Ｇ３とする。固定用接着剤Ｇ３は、接合用接着剤Ｇ１と異なり、光学素子１と固定基台６０とを接合するための接着剤であり、異質の部材同士を接着するための接着剤である。
【００４０】
図２に示されるように、固定基台６０には、光学素子１と実際に接着される接着面６１、そして、位置決めを行うための動作基準壁６２Ｘ、６２Ｙ、固定基準面６３が設けられている。動作基準壁６２Ｘ、６２Ｙは、光軸に平行な２方向の位置決めを行うために設けられ、光学素子１の相互に隣接する２つの側面（例えば、側面１０Ｃ及び１０Ｄ）を当てつけて位置決めを行う。ここで、光学素子１に対しての入射光及び出射光の光軸は、図中のＸ−Ｙ平面上、つまり固定面１０Ｆ（さらに言えば、固定基台６０の接着面６１）と平行な方向である。従って、光軸に平行な２方向とは、方向ベクトルが光軸に平行なＸ−Ｙ平面上の、Ｘ方向及びＹ方向をいう。
【００４１】
動作基準壁６２Ｘ、６２Ｙは、光学素子１の入射面として機能する側面１０Ｃ及び１０Ｄと当接するため、入射光の光路と干渉しないようにする。このため、動作基準壁６２Ｘ、６２Ｙは、高さ方向（図中のＺ方向）において低めに設定しておく。
【００４２】
固定基準面６３は、光軸と傾斜した方向のずれをなくすために（つまり、固定面１０Ｆ及び接着面６１と平行な平面上の平行ベクトルと光軸とを平行にするため）、位置決めを行うための機能を有している。このため、光学素子１を固定基台６０に取り付けるときに、４箇所に分散して設けられている固定基準面６３の全てが固定面１０Ｆと当接するように載置する。これにより、光軸に対して傾斜した方向のずれを防止することができる。
【００４３】
従って、固定面１０Ｆは、その全面が固定基台６０に固定されない。図３に示されるように、固定面１０Ｆのうちの４つの角隅部の領域は、固定基台６０の固定基準面６３と接触して位置決めを行う機能を発揮する素子基準領域７３としている。素子基準領域７３は固定基台６０の固定基準面６３に対応して設けられ、光学素子１を固定基台６０に取り付けるときには、素子基準領域７３と固定基準面６３とが接触するように両者を当接させる。素子基準領域７３は積極的に何らかの加工がされているものではなく、固定面１０Ｆのうち一部の領域を構成するものである。ただし、この領域は位置決め機能を確保するために保護すべき領域となるため、素子基準領域７３として粗面化から保護される。従って、４つの素子基準領域７３は固定機能を発揮しない。
【００４４】
位置決めを行うための素子基準領域７３及び固定基準面６３は、固定面１０Ｆの最も外側に位置する箇所に分散して設けられている。従って、部材の一番端部で位置決めすることができることから、極めて高い精度で位置決めを行うことができる。
【００４５】
そして、実際に接着が行われる領域は、図３に示すように、４つの角隅部に分散している素子基準領域７３の内側の領域に固定用接着領域７１として臨んでいる。固定用接着領域７１は、光学素子１と固定基台６０との接着力の強化を図るために、粗面化を行っている。ただし、図３に示されるように、固定面１０Ｆには接合部位８０が露出しているため、露出している接合部位８０を避けなくてはならない。そこで、図３では、素子基準領域７３及び接合部位８０を除いた固定面１０Ｆの領域が固定用接着領域７１となり、この固定用接着領域７１を粗面化する。つまり、固定面１０Ｆは、固定用接着領域７１と素子基準領域７３と露出した接合部位８０とを有していることになる。
【００４６】
図３に示されるように、素子基準領域７３は固定面１０Ｆの最も外側に位置しているため、その内側は比較的広い領域を確保することができる。従って、粗面化できる領域が広がるため、接着力を強力にすることができる。そして、固定用接着領域７１は、接合部位８０により４つに分割されているが、素子基準領域７３に囲まれた内側の領域に集中している。そうすると、固定用接着領域７１は夫々それほど離間していないことから、比較的容易に粗面化することができる。
【００４７】
図３では、固定基台６０の接着面６１であることから、４つに分割された固定用接着領域７１は夫々扇形に近い形状をしている（夫々が集合して全体としては円形に近い形状となっている）。固定用接着領域７１はできる限り広い領域を確保したいという観点から、図４のように、固定用接着領域７１は夫々三角形をしているものであってもよい（夫々が集合して全体としては概略正方形となっている）。勿論、理想的には、素子基準領域７３及び露出している接合部位８０を除いた全ての領域を固定用接着領域７１とすることが好ましい。
【００４８】
また、図３及び図４では、素子基準領域７３が４つの場合を説明したが、図５のように、素子基準領域７３が２つであってもよい。同図のように、三角形状の素子基準領域７３を適用した場合には、当該２つの素子基準領域７３を固定面１０Ｆの対角の角隅部に配置する。このため、固定基準面６３と素子基準領域７３とを確実に接触させることができれば、平面度を確保することができる。この場合、素子基準領域７３は２つとなり、しかも対角の角隅部に配置されていることから、固定用接着領域７１を広範に確保することができ、接着力を十分に確保することができる。なお、これに伴い、固定基準面６３も同様に三角形状をすることになる。
【００４９】
さらに、図６のように、素子基準領域７３が１つであってもよい。素子基準領域７３がリング状であれば、位置決め機能を発揮することができる。また、素子基準領域７３を図７のようにすることもできる。前述してきた各例では、積極的に素子基準領域７３を形成しているものではない。つまり、固定面１０Ｆのうち固定基準面６３と当接する領域を素子基準領域７３として、この領域を避けるように固定用接着領域７１を粗面化していた。しかし、図７のように、積極的に固定用接着領域７１から素子基準領域７３の部位を削ることも可能である。
【００５０】
固定用接着領域７１を粗面化するときには狙撃性の高いレーザ処理により行う。これにより、領域間を極めて近接させることができるため、素子基準領域７３及び露出している接合部位８０を避けて、且つできる限りこれらに近接した位置まで粗面化することができる。このため、広範な範囲を粗面化することができる。
【００５１】
ここで、本発明では、固定基台６０の接着面６１ではなく、積極的に光学素子１の固定面１０Ｆを粗面化している。光学素子１の固定面１０Ｆ又は固定基台６０の接着面６１の何れか一方を粗面化すれば、接着強度の確保をすることはできる。しかし、両者の間の接着強度を弱める要因として、接合用接着剤Ｇ１や貼り付け用接着剤Ｇ２の食み出しという要因が挙げられる。前述したように、固定用接着剤Ｇ３は、接合用接着剤Ｇ１や貼り付け用接着剤Ｇ２とは異なる種類の接着剤を用いることが好ましい。そうすると、接合用接着剤Ｇ１や貼り付け用接着Ｇ２が固定用接着領域７１にまで食み出すと、固定用接着剤Ｇ３の接着力を低下させる要因となる。従って、十分な接着強度を確保できなくなる。
【００５２】
特に、クロスダイクロイックプリズム１０を製造する過程では、透明部材の切断、接合の工程が繰り返し行われることから、接合用接着剤Ｇ１が固定面１０Ｆに容易に食み出しやすい。また、製造過程においては、有機汚れ等の不純物が光学素子１の固定面１０Ｆに付着することもある。そして、光学素子１は、基本的にガラス部材等の透明部材から構成されるため、洗浄液を使用することができない。洗浄液を使用すると接合した透明部材同士が洗浄液によって剥離してしまうためである。
【００５３】
そこで、光学素子１の固定面１０Ｆの固定用接着領域７１を粗面化する。固定面１０Ｆに接合用接着剤Ｇ１や貼り付け用接着剤Ｇ２が付着していても、粗面化するときに付着物も除去される。前記の不純物も同様に、粗面化するときに除去される。
【００５４】
一方、固定基台６０側では、光学素子１を接合する前には、接着面６１に接合用接着剤Ｇ１や貼り付け用接着剤Ｇ２が付着することはなく、また前記の不純物が付着した場合でも、洗浄液を用いて洗浄等を行うことができるため、容易に除去することができる。
【００５５】
そして、光学素子１の固定面１０Ｆを粗面化した後に、固定用接着領域７１に固定用接着剤Ｇ３を塗布して、動作基準壁６２Ｘ、６２Ｙ、固定基準面６３により厳格な位置決めを行い、両者を接合する。そうすると、図８に示されるように、光学素子の固定機構が完成する。
【図面の簡単な説明】
【００５６】
【図１】光学素子の外観図である。
【図２】固定基台の外観図である。
【図３】粗面化された固定面を示す説明図である。
【図４】粗面化された固定面を示す別の例の説明図である。
【図５】粗面化された固定面を示す別の例の説明図である。
【図６】粗面化された固定面を示す別の例の説明図である。
【図７】粗面化された固定面を示す別の例の説明図である。
【図８】光学素子の固定機構の外観図である。
【符号の説明】
【００５７】
１    光学素子            １０    クロスダイクロイックプリズム
１１〜１４    透明部材        ２１、２２    ダイクロイック膜
５１〜５３    偏光板            ５４    位相差板
６０    固定基台            ６１    接着面
６３    固定基準面            ７１    固定用接着領域
７３    素子基準領域            Ｇ１    接合用接着剤
Ｇ２    貼り付け用接着剤        Ｇ３    固定用接着剤
【図１】
2008225420.tif 000003
【図２】
2008225420.tif 000004
【図３】
2008225420.tif 000005
【図４】
2008225420.tif 000006
【図５】
2008225420.tif 000007
【図６】
2008225420.tif 000008
【図７】
2008225420.tif 000009
【図８】
2008225420.tif 000010